【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
第１の表示装置の画面および第２の表示装置の画面への筆記するための部位の接触状況を取得する接触状況取得部と、
前記接触状況取得部が取得した前記筆記するための部位の接触状況に応じて実行する処理を判断する判断部と、
前記判断部による判断に基づいて、前記第１の表示装置の画面への筆記するための部位の接触状況に応じた情報を前記第１の表示装置および前記第２の表示装置の画面にそれぞれ表示する内容を制御する画面表示制御部と、
を備え、
前記画面表示制御部は、前記第１の表示装置および前記第２の表示装置の画面へ所定の情報が表示されている状態において、前記第１の表示装置の画面への筆記するための部位の接触状況を前記接触状況取得部が取得した場合に、該筆記するための部位の接触が所定の記入許可条件を満たしている場合に限り、前記第１の表示装置および前記第２の表示装置の画面に、該筆記するための部位の接触に基づいた内容を表示することを特徴とする、情報処理装置。
【請求項２】
前記画面表示制御部は、前記所定の記入許可条件として、前記第１の表示装置の画面への筆記するための部位の接触状況に応じた情報の内容の改変に繋がるものではない場合にのみ前記第１の表示装置および前記第２の表示装置の画面に、該筆記するための部位の接触に基づいた内容を表示することを特徴とする、請求項１に記載の情報処理装置。
【請求項３】
前記画面表示制御部は、前記所定の記入許可条件として、前記第１の表示装置および前記第２の表示装置の画面へ表示されている情報が数字である場合に、該数字の右側に前記筆記するための部位が接触した場合にのみ前記第１の表示装置および前記第２の表示装置の画面に、該筆記するための部位の接触に基づいた内容を表示することを特徴とする、請求項２に記載の情報処理装置。
【請求項４】
前記画面表示制御部は、前記所定の記入許可条件として、前記第１の表示装置の画面への筆記するための部位の接触による情報の記入から所定の時間が経過していない場合にのみ前記第１の表示装置および前記第２の表示装置の画面に、該筆記するための部位の接触に基づいた内容を表示することを特徴とする、請求項２に記載の情報処理装置。
【請求項５】
前記接触状況取得部が取得した前記筆記するための部位の接触状況を記憶する記憶部を更に備え、
前記判断部は、前記記憶部が記憶した前記筆記するための部位の接触状況および前記第１の表示装置および前記第２の表示装置の画面へ表示されている情報からそれぞれ画面データを作成し、両画面データが一致しているか否かで前記第１の表示装置の画面への筆記するための部位の接触により記入された情報の改ざんの有無を判断することを特徴とする、請求項１に記載の情報処理装置。
【請求項６】
前記画面表示制御部は、前記接触状況取得部が、前記第２の表示装置の画面への筆記するための部位の接触を検出した場合は、該接触の状況に応じた情報は前記第１の表示装置および前記第２の表示装置の画面へ表示させないことを特徴とする、請求項１に記載の情報処理装置。
【請求項７】
前記筆記するための部位は、筆記具であることを特徴とする、請求項１〜６のいずれかに記載の情報処理装置。
【請求項８】
第１の表示装置の画面および第２の表示装置の画面への筆記するための部位の接触状況を取得する接触状況取得ステップと、
前記接触状況取得ステップで取得された前記筆記するための部位の接触状況に応じて実行する処理を判断する判断ステップと、
前記判断ステップによる判断に基づいて、前記第１の表示装置の画面への筆記するための部位の接触状況に応じた情報を前記第１の表示装置および前記第２の表示装置の画面にそれぞれ表示する内容を制御する画面表示制御ステップと、
を備え、
前記画面表示制御ステップは、前記第１の表示装置および前記第２の表示装置の画面へ所定の情報が表示されている状態において、前記第１の表示装置の画面への筆記するための部位の接触状況を前記接触状況取得ステップが取得した場合に、該筆記するための部位の接触が所定の記入許可条件を満たしている場合に限り、前記第１の表示装置および前記第２の表示装置の画面に、該筆記するための部位の接触に基づいた内容を表示することを特徴とする、情報表示方法。
【請求項９】
コンピュータに、
第１の表示装置の画面および第２の表示装置の画面への筆記するための部位の接触状況を取得する接触状況取得ステップと、
前記接触状況取得ステップで取得された前記筆記するための部位の接触状況に応じて実行する処理を判断する判断ステップと、
前記判断ステップによる判断に基づいて、前記第１の表示装置の画面への筆記するための部位の接触状況に応じた情報を前記第１の表示装置および前記第２の表示装置の画面にそれぞれ表示する内容を制御する画面表示制御ステップと、
を実行させ、
前記画面表示制御ステップは、前記第１の表示装置および前記第２の表示装置の画面へ所定の情報が表示されている状態において、前記第１の表示装置の画面への筆記するための部位の接触状況を前記接触状況取得ステップが取得した場合に、該筆記するための部位の接触が所定の記入許可条件を満たしている場合に限り、前記第１の表示装置および前記第２の表示装置の画面に、該筆記するための部位の接触に基づいた内容を表示することを特徴とする、コンピュータプログラム。
【手続補正２】
【補正対象書類名】明細書
【補正対象項目名】０００９
【補正方法】変更
【補正の内容】
【０００９】
上記課題を解決するために、本発明のある観点によれば、第１の表示装置の画面および第２の表示装置の画面への筆記するための部位の接触状況を取得する接触状況取得部と、前記接触状況取得部が取得した前記筆記するための部位の接触状況に応じて実行する処理を判断する判断部と、前記判断部による判断に基づいて、前記第１の表示装置の画面への筆記するための部位の接触状況に応じた情報を前記第１の表示装置および前記第２の表示装置の画面にそれぞれ表示する内容を制御する画面表示制御部と、を備え、前記画面表示制御部は、前記第１の表示装置および前記第２の表示装置の画面へ所定の情報が表示されている状態において、前記第１の表示装置の画面への筆記するための部位の接触状況を前記接触状況取得部が取得した場合に、該筆記するための部位の接触が所定の記入許可条件を満たしている場合に限り、前記第１の表示装置および前記第２の表示装置の画面に、該筆記するための部位の接触に基づいた内容を表示することを特徴とする、情報処理装置が提供される。
【手続補正３】
【補正対象書類名】明細書
【補正対象項目名】００１０
【補正方法】変更
【補正の内容】
【００１０】
前記画面表示制御部は、前記所定の記入許可条件として、前記第１の表示装置の画面への筆記するための部位の接触状況に応じた情報の内容の改変に繋がるものではない場合にのみ前記第１の表示装置および前記第２の表示装置の画面に、該筆記するための部位の接触に基づいた内容を表示するようにしてもよい。
【手続補正４】
【補正対象書類名】明細書
【補正対象項目名】００１１
【補正方法】変更
【補正の内容】
【００１１】
前記画面表示制御部は、前記所定の記入許可条件として、前記第１の表示装置および前記第２の表示装置の画面へ表示されている情報が数字である場合に、該数字の右側に前記筆記するための部位が接触した場合にのみ前記第１の表示装置および前記第２の表示装置の画面に、該筆記するための部位の接触に基づいた内容を表示するようにしてもよい。
【手続補正５】
【補正対象書類名】明細書
【補正対象項目名】００１２
【補正方法】変更
【補正の内容】
【００１２】
前記画面表示制御部は、前記所定の記入許可条件として、前記第１の表示装置の画面への筆記するための部位の接触による情報の記入から所定の時間が経過していない場合にのみ前記第１の表示装置および前記第２の表示装置の画面に、該筆記するための部位の接触に基づいた内容を表示するようにしてもよい。
【手続補正６】
【補正対象書類名】明細書
【補正対象項目名】００１３
【補正方法】変更
【補正の内容】
【００１３】
前記接触状況取得部が取得した前記筆記するための部位の接触状況を記憶する記憶部を更に備え、
前記判断部は、前記記憶部が記憶した前記筆記するための部位の接触状況および前記第１の表示装置および前記第２の表示装置の画面へ表示されている情報からそれぞれ画面データを作成し、両画面データが一致しているか否かで前記第１の表示装置の画面への筆記するための部位の接触により記入された情報の改ざんの有無を判断するようにしてもよい。
【手続補正７】
【補正対象書類名】明細書
【補正対象項目名】００１４
【補正方法】変更
【補正の内容】
【００１４】
前記画面表示制御部は、前記接触状況取得部が、前記第２の表示装置の画面への筆記するための部位の接触を検出した場合は、該接触の状況に応じた情報は前記第１の表示装置および前記第２の表示装置の画面へ表示させないようにしてもよい。また、前記筆記するための部位は、筆記具であってもよい。
【手続補正８】
【補正対象書類名】明細書
【補正対象項目名】００１５
【補正方法】変更
【補正の内容】
【００１５】
また、上記課題を解決するために、本発明の別の観点によれば、第１の表示装置の画面および第２の表示装置の画面への筆記するための部位の接触状況を取得する接触状況取得ステップと、前記接触状況取得ステップで取得された前記筆記するための部位の接触状況に応じて実行する処理を判断する判断ステップと、前記判断ステップによる判断に基づいて、前記第１の表示装置の画面への筆記するための部位の接触状況に応じた情報を前記第１の表示装置および前記第２の表示装置の画面にそれぞれ表示する内容を制御する画面表示制御ステップと、を備え、前記画面表示制御ステップは、前記第１の表示装置および前記第２の表示装置の画面へ所定の情報が表示されている状態において、前記第１の表示装置の画面への筆記するための部位の接触状況を前記接触状況取得ステップが取得した場合に、該筆記するための部位の接触が所定の記入許可条件を満たしている場合に限り、前記第１の表示装置および前記第２の表示装置の画面に、該筆記するための部位の接触に基づいた内容を表示することを特徴とする、情報表示方法が提供される。
【手続補正９】
【補正対象書類名】明細書
【補正対象項目名】００１６
【補正方法】変更
【補正の内容】
【００１６】
また、上記課題を解決するために、本発明の別の観点によれば、コンピュータに、第１の表示装置の画面および第２の表示装置の画面への筆記するための部位の接触状況を取得する接触状況取得ステップと、前記接触状況取得ステップで取得された前記筆記するための部位の接触状況に応じて実行する処理を判断する判断ステップと、前記判断ステップによる判断に基づいて、前記第１の表示装置の画面への筆記するための部位の接触状況に応じた情報を前記第１の表示装置および前記第２の表示装置の画面にそれぞれ表示する内容を制御する画面表示制御ステップと、を実行させ、前記画面表示制御ステップは、前記第１の表示装置および前記第２の表示装置の画面へ所定の情報が表示されている状態において、前記第１の表示装置の画面への筆記するための部位の接触状況を前記接触状況取得ステップが取得した場合に、該筆記するための部位の接触が所定の記入許可条件を満たしている場合に限り、前記第１の表示装置および前記第２の表示装置の画面に、該筆記するための部位の接触に基づいた内容を表示することを特徴とする、コンピュータプログラムが提供される。